(57)【要約】【課題】軒樋の屋根からの出寸法が狭い場合にも軒樋同士を接続端部において確実かつ容易に接続することのできる軒樋内継手を提供すること。【解決手段】２分割された下部部材２は、軒樋に対応して前壁部２１、底壁部２２および後壁部２３を備え、前壁部に軒樋の前耳部に嵌合する嵌合部２４を有し、後壁部と前壁部とを繋ぐ補強片２６が配設され、上部部材３は、前壁部３１、軒樋の後壁部に対応する後壁部３２および後壁部と前壁部とを繋ぐ補強片３４を備え、下部部材の嵌合部の内側に係止部２７が配設されるとともに、上部部材の前壁部に下部部材の係止部に係止される被係止部３６が配設され、下部部材および上部部材の後壁部の高さがともに軒樋の後壁部の高さの略半分とされている。【選択図】図１
2008208575.tif 000002
【特許請求の範囲】
【請求項１】
下部部材と上部部材とに２分割され、下部部材は、軒樋の前壁部、底壁部および後壁部に対応する前壁部、底壁部および後壁部を備え、前壁部に軒樋の前耳部に嵌合する嵌合部を有し、後壁部の上端から延設され、後壁部と前壁部とを繋ぐ補強片が配設され、上部部材は、前壁部、軒樋の後壁部に対応する後壁部および後壁部の下端と前壁部の下端とを繋ぐ補強片を備え、下部部材の嵌合部の内側に係止部が配設されるとともに、上部部材の前壁部に下部部材の係止部に係止される被係止部が配設され、軒樋の接続端部において、下部部材の後壁部、底壁部の幅方向の略半部をそれぞれ軒樋の後壁部、底壁部の内側に重ね合わせ、前壁部の幅方向の略半部を軒樋の前壁部の内側に重ね合わせ、嵌合部の幅方向の略半部に軒樋の前耳部を嵌合させて下部部材が軒樋に接合され、上部部材の後壁部の幅方向の略半部を軒樋の後壁部の内側に重ね合わせるとともに、後壁部の上端の幅方向の略半部を軒樋の後耳部の下端に係止させ、上部部材の補強片を下部部材の補強片に重ね合わせ、被係止部を下部部材の係止部に係止させて上部部材が軒樋と下部部材とに嵌着され、軒樋同士が接続される軒樋内継手であって、下部部材および上部部材の後壁部の高さがともに軒樋の後壁部の高さの略半分とされていることを特徴とする軒樋内継手。
【請求項２】
上部部材の後壁部には補強片の左右両側に係合片が垂下延設され、係合片は、上部部材の後壁部の上端に係合することを特徴とする請求項１に記載の軒樋内継手。
【請求項３】
下部部材の前壁部には補強片より上側において内側に押圧片が突設され、押圧片は、上部部材の前壁部を押圧することを特徴とする請求項１または２に記載の軒樋内継手。
【発明の詳細な説明】
【技術分野】
【０００１】
本発明は、軒樋同士を内側から接続する軒樋内継手に関する。
【背景技術】
【０００２】
図１２に示したように、住宅などの家屋の軒先Ａには、軒先Ａに配設された鼻隠し板４０などに取り付けられた軒樋吊具４１を介して軒樋５０が取り付けられている。軒樋５０は、前壁部５１の上端部に前耳部５２を、後壁部５３の上端部に後耳部５４をそれぞれ有し、前耳部５２および後耳部５４が軒樋吊具４１に嵌着されて取り付けられる。
【０００３】
軒樋５０同士の接続には、接続端部において強固にしかも防水性を確保することができるように、軒樋継手が用いられ、その一つとして軒樋内継手が知られている（特許文献１）。
【０００４】
特許文献１に記載された軒樋内継手は、上継手と下継手とに２分割され、上継手は、軒樋当接部と、軒樋の前壁部から後壁部まで延伸された引っ掛け具とを有し、下継手は、嵌着部と軒樋の後耳部に当接する折り曲げ端部とを有し、下継手の嵌着部が軒樋の前壁部に設けられた突起部に嵌着されるとともに、上継手の軒樋当接部が軒樋の前壁部に装着され、上継手の引っ掛け具が下継手の折り曲げ端部に引っ掛けられ、軒樋同士を接続端部で接続する。
【特許文献１】特開２００２−１８０６１４号公報
【発明の開示】
【発明が解決しようとする課題】
【０００５】
軒樋５０の屋根Ｒからの出寸法ｘ、すなわち、軒樋５０の前壁部５１の上端と屋根Ｒの軒側端との間の間隔は、軒樋５０の上幅ｗの１/２〜２/３にするのが標準であるが、最近、屋根Ｒの軒先出寸法ｙを長くする家屋が増えつつあり、軒樋５０の出寸法ｘが標準寸法より縮小されている。
【０００６】
このような軒先Ａにおいて軒樋内継手を用い、軒樋５０同士を接続する場合、上記特許文献１に記載された軒樋内継手では接続ができないか、難しくなる。それというのも、出寸法ｘが狭すぎて、下継手を軒樋５０の内部に差し込むことができなかったり、差し込むことができるにしても下継手の軒樋への装着が容易でなかったりするからである。
【０００７】
本発明は、以上の通りの事情に鑑みてなされたものであり、軒樋の屋根からの出寸法が狭い場合にも軒樋同士を接続端部において確実かつ容易に接続することのできる軒樋内継手を提供することを課題としている。
【課題を解決するための手段】
【０００８】
本発明の軒樋内継手は、上記の課題を解決するために、以下のことを特徴としている。
【０００９】
第１に、下部部材と上部部材とに２分割され、下部部材は、軒樋の前壁部、底壁部および後壁部に対応する前壁部、底壁部および後壁部を備え、前壁部に軒樋の前耳部に嵌合する嵌合部を有し、後壁部の上端から延設され、後壁部と前壁部とを繋ぐ補強片が配設され、上部部材は、前壁部、軒樋の後壁部に対応する後壁部および後壁部の下端と前壁部の下端とを繋ぐ補強片を備え、下部部材の嵌合部の内側に係止部が配設されるとともに、上部部材の前壁部に下部部材の係止部に係止される被係止部が配設され、軒樋の接続端部において、下部部材の後壁部、底壁部の幅方向の略半部をそれぞれ軒樋の後壁部、底壁部の内側に重ね合わせ、前壁部の幅方向の略半部を軒樋の前壁部の内側に重ね合わせ、嵌合部の幅方向の略半部に軒樋の前耳部を嵌合させて下部部材が軒樋に接合され、上部部材の後壁部の幅方向の略半部を軒樋の後壁部の内側に重ね合わせるとともに、後壁部の上端の幅方向の略半部を軒樋の後耳部の下端に係止させ、上部部材の補強片を下部部材の補強片に重ね合わせ、被係止部を下部部材の係止部に係止させて上部部材が軒樋と下部部材とに嵌着され、軒樋同士が接続される軒樋内継手であって、下部部材および上部部材の後壁部の高さがともに軒樋の後壁部の高さの略半分とされている。
【００１０】
第２に、上記第１の特徴において、上部部材の後壁部には補強片の左右両側に係合片が垂下延設され、係合片は、上部部材の後壁部の上端に係合する。
【００１１】
第３に、上記第１または第２の特徴において、下部部材の前壁部には補強片より上側において内側に押圧片が突設され、押圧片は、上部部材の前壁部を押圧する。
【発明の効果】
【００１２】
上記第１の発明によれば、２分割された下部部材および上部部材の後壁部の高さがともに軒樋の後壁部の略半分の高さとされているため、軒樋の屋根からの出寸法が標準寸法よりも狭い場合にも、下部部材、上部部材をともに軒樋の接続端部の内部を覗き見ることなく確実にかつ容易に軒樋の前壁部の上端と屋根の軒側端との間の間隙から差し込むことができ、軒樋同士を軒樋内継手により接続することができる。高所で容易に軒樋同士の接続作業を行うことができる。
【００１３】
上記第２の発明によれば、上記第１の発明の効果に加え、係合片によって下部部材に対する上部部材の位置決めが容易となり、上部部材の軒樋と下部部材とへの嵌着を正確に行うことができる。
【００１４】
上記第３の発明によれば、上記の第１または第２の発明の効果に加え、押圧片によって、被係止部と係止部との係止状態が補強され、上部部材の下部部材への装着状態がより安定となる。
【発明を実施するための最良の形態】
【００１５】
図１、図２、図３は、それぞれ、本発明の軒樋内継手の一実施形態を示した内側分解斜視図、外側分解斜視図、側面分解斜視図である。
【００１６】
図１−３に示したように、軒樋内継手１は、下部部材２と上部部材３とに２分割されている。
【００１７】
下部部材２は、図１２に示した軒樋５０の前壁部５１、底壁部５５、後壁部５３の内面にそれぞれに対応する形状を有する前壁部２１、底壁部２２、後壁部２３を備えている。前壁部２１の上端部には、軒樋５０の前壁部５１の上端部に形成された前耳部５２に外側より嵌合する断面略コ字型形状の嵌合部２４が形成されている。後壁部２３の上端は略９０°で内側に折り曲げられ、載置部２５が形成されている。載置部２５の幅方向の略中央部から補強片２６が前壁部２１に向かって斜め上方に延設され、補強片２６の前端は、前壁部２１の内面に、前壁部２１の高さ方向の中程に接続されている。補強片２６によって後壁部２３と前壁部２１とは繋がれ、下部部材２の強度が高められ、形状が安定化されている。
【００１８】
また、下部部材２には、前壁部２１の嵌合部２４における内側の幅方向の略中央部に係止部２７が設けられ、係止部２７は斜め上方に向かって延びている。さらに、前壁部２１には、補強片２６より上側でかつ嵌合部２４より下側に押圧片２８が内側に突設されている。
【００１９】
一方、上部部材３は、前壁部３１および図１２に示した軒樋５０の後壁部５３の内面に対応する形状を有する後壁部３２を備えている。後壁部３２の下端は略９０°で内側に折り曲げられ、被載置部３３が形成されている。被載置部３３の幅方向の略中央部から補強片３４が前壁部３１の下端に向かって斜め上方に延設され、補強片３４の前端は前壁部３１の下端に接続されている。後壁部３２の下端と前壁部３１の下端とが補強片３４によって繋がれている。前壁部３１と補強片３４および後壁部３２と補強片３４には、幅方向の中央部において補強リブ３５が立設され、前壁部３１および後壁部３２と補強片３４との接続部を補強している。後壁部３２と補強片３４とを補強する補強リブ３５は、被載置部３３にも立設されている。
【００２０】
また、上部部材３には、前壁部３１の上端から内側に斜め上方に向かって被係止部３６が延設されている。さらに、被載置部３３において補強片３４の左右両側の前端から係合片３７が垂下延設されている。
【００２１】
これらの下部部材２および上部部材３において、上部部材３の前壁部３１の幅は下部部材２の前壁部２１の幅より短く、補強片２６、３４および後壁部２３、３２の幅は略同一とされている。
【００２２】
上部部材３は、後壁部３２の被載置部３３を下部部材２の後壁部２３の載置部２５に載置し、補強片３４を補強片２６に重ね合わせ、前壁部３１の被係止部３６を下部部材２の前壁部２１における嵌合部２４の係止部２７に係止させることにより、下部部材２に装着することができ、軒樋内継手１として一体となる。
【００２３】
一体となった軒樋内継手１を示したのが、図４、図５、図６の内側斜視図、外側斜視図、側面図である。
【００２４】
上部部材３は、たとえば、下部部材２の補強片２６の両側縁において係合片３７の内側端をガイドしつつ、被載置部３３を載置部２５に載置し、係合片３７を載置部２５の前端に係合させ、補強片３４を補強片２６に重ね合わせた後、前壁部３１を引き下げ、やや撓ませて被係止部３６を係止部２７の下側に係止させることにより、下部部材２に装着することができ、軒樋内継手１として一体となる。下部部材２の前壁部２１に内側に突設された押圧片２８の後端は、上部部材３の前壁部３１の前面に接触し、前壁部３１を押圧する。この押圧によって、被係止部３６と係止部２７との係止状態が補強され、上部部材３の下部部材２への装着状態がより安定となる。
【００２５】
以上のような軒樋内継手１は、図１２に示した軒樋５０の接続端部に配設され、軒樋５０同士を接続する。図７、図８、図９は、それぞれ、軒樋内継手１による軒樋５０同士の接続状態を示した要部内側斜視図、要部外側斜視図、要部側面図である。
【００２６】
軒樋内継手１では、図７および図９に示したように、下部部材２および上部部材３の後壁部２３、３２の高さｈ２、ｈ３がともに軒樋５０の後壁部５３の高さＨの略半分とされている。このため、図１２に示したように、軒樋５０の屋根Ｒからの出寸法ｘが標準寸法よりも狭い場合にも、図１０および図１１に示したように、下部部材２、上部部材３をともに軒樋５０の接続端部５６の内部を覗き見ることなく確実にかつ容易に軒樋５０の前壁部５１の上端と屋根Ｒの軒側端との間の間隙ｃから差し込むことができ、軒樋５０同士を軒樋内継手１により接続することができる。
【００２７】
なお、図１０および図１１では図示を簡略化するために、図１２に示した軒樋吊具４１を省略して図示している。
【００２８】
軒樋５０同士を軒樋内継手１を用いて接続する際には、図１０に示したように、軒樋５０の接続端部５６において、軒樋５０の前壁部５１の上端と屋根Ｒの軒側端との間の間隙ｃから下部部材２を後壁部２３から斜め下方に差し込み、上方に回動させ、図７、図８および図９に示したように、後壁部２３、底壁部２２の幅方向の略半部をそれぞれを軒樋５０の後壁部５３、底壁部５５の内側に重ね合わせ、前壁部２１の幅方向の略半部を軒樋５０の前壁部５１の内側に重ね合わせる。そして、下部部材２の前壁部２１の上端を下方に押し込み、嵌合部２４の幅方向の略半部を軒樋５０の前耳部５２に外側より嵌合させ、下部部材２が軒樋５０に接合される。このとき、下部部材２の前壁部２１、底壁部２２および後壁部２３の外面には接着剤をあらかじめ塗布しておき、下部部材２が位置ずれなどを起こさず、軒樋５０の内側に確実に接合されるように、接着することができる。
【００２９】
次いで、図１１に示したように、軒樋５０の前壁部５１の上端と屋根Ｒの軒側端との間の間隙ｃから上部部材３を後壁部３２から斜め下方に差し込み、上方に回動させ、図７、図８および図９に示したように、上部部材３の後壁部３２の幅方向の略半部を軒樋５０の後壁部５３の内側に重ね合わせるとともに、後壁部３２の上端の幅方向の略半部を軒樋５０の後耳部５４の下端に係止させる。その際には、上記の通り、下部部材２の補強片２６の両側縁において係合片３７の内側端をガイドしつつ、被載置部３３を載置部２５に載置し、係合片３７を載置部２５の前端に係合させることにより、後壁部３２の上端の幅方向の略半部を軒樋５０の後耳部５４の下端に容易に係止させることができる。そして、補強片３４を補強片２６に重ね合わせ、前壁部３１を押し下げ、被係止部３６を下部部材２の係止部２７に係止させて上部部材３が軒樋５０と下部部材２とに嵌着される。
【００３０】
こうして、軒樋５０同士の接続端部５６における軒樋内継手１による接続が完了する。
【００３１】
軒樋内継手１では、上記の通り、下部部材２および上部部材３の後壁部２３、３２の高さｈ２、ｈ３がともに軒樋５０の後壁部５３の高さＨの略半分とされているため、図１２に示したように、軒樋５０の屋根Ｒからの出寸法ｘが標準寸法よりも狭い場合にも、下部部材２、上部部材３をともに軒樋５０の接続端部５６の内部を覗き見ることなく確実にかつ容易に軒樋５０の前壁部５１の上端と屋根Ｒの軒側端との間の間隙ｃから差し込むことができ、軒樋５０同士を軒樋内継手１により接続することができる。高所で容易に軒樋５０同士の接続作業を行うことができる。
【００３２】
しかも、上部部材３には被載置部３３において補強片３４の左右両側の前端から係合片３７が垂下延設されているため、上部部材３の取り付けに際して、下部部材２の補強片２６の両側縁において係合片３７の内側端をガイドしつつ、被載置部３３を載置部２５に載置し、係合片３７を載置部２５の前端に係合させることができ、下部部材２に対する上部部材３の位置決めが容易となり、上部部材３の軒樋５０と下部部材２とへの嵌着を正確に行うことができる。また、上部部材３の嵌着の際に、下部部材２を軒樋５０の接続端部５６に接着しておいても接着剤は剥がれることがなく、軒樋５０同士の接続強度は均一であり、接着剤のはみ出しのおそれもないため、軒樋５０同士の接続部における水漏れが防止される。
【００３３】
さらに、下部部材２の前壁部２１に内側に突設された押圧片２８の後端は、上部部材３の前壁部３１の前面に接触し、前壁部３１を押圧するため、被係止部３６と係止部２７との係止状態が補強され、上部部材３の下部部材２への装着状態がより安定となる。
【図面の簡単な説明】
【００３４】
【図１】本発明の軒樋内継手の一実施形態を示した内側分解斜視図である。
【図２】図１に示した軒樋内継手の外側分解斜視図である。
【図３】図１に示した軒樋内継手の側面分解斜視図である。
【図４】図１に示した軒樋内継手の内側斜視図である。
【図５】図１に示した軒樋内継手の外側斜視図である。
【図６】図１に示した軒樋内継手の側面図である。
【図７】図１に示した軒樋内継手による軒樋同士の接続状態を示した要部内側斜視図である。
【図８】図１に示した軒樋内継手による軒樋同士の接続状態を示した要部外側斜視図である。
【図９】図１に示した軒樋内継手による軒樋同士の接続状態を示した要部側面図である。
【図１０】図１に示した軒樋内継手により軒樋同士を接続する際の様子を示した要部側面図である。
【図１１】図１に示した軒樋内継手により軒樋同士を接続する際の様子を示した要部側面図である。
【図１２】軒先に取り付けられる軒樋を示した要部側面図である。
【符号の説明】
【００３５】
１  軒樋内継手
２  下部部材
２１  前壁部
２２  底壁部
２３  後壁部
２４  嵌合部
２６  補強片
２７  係止部
２８  押圧片
３  上部部材
３１  前壁部
３２  後壁部
３４  補強片
３６  被係止部
３７  係合片
５０  軒樋
５１  前壁部
５２  前耳部
５３  後壁部
５４  後耳部
５５  底壁部
５６  接続端部
ｈ２、ｈ３  高さ
Ｈ  高さ
【図１】
2008208575.tif 000003
【図３】
2008208575.tif 000004
【図６】
2008208575.tif 000005
【図９】
2008208575.tif 000006
【図２】
2008208575.tif 000007
【図４】
2008208575.tif 000008
【図５】
2008208575.tif 000009
【図７】
2008208575.tif 000010
【図８】
2008208575.tif 000011
【図１０】
2008208575.tif 000012
【図１１】
2008208575.tif 000013
【図１２】
2008208575.tif 000014